(57)【要約】【課題】特定の日に撮影された画像を容易に認識することができ、さらに特定の日に関連付けられた情報も同時に提示することができる撮像装置、画像表示装置を提供する。【解決手段】前記課題を解決するために、本発明の撮像装置１００は、被写体の画像データを生成する撮像手段１、２と、前記画像データに撮影日付を付加する日付付加手段７と、カレンダーを表示する表示手段１５０と、前記カレンダー上の日付を選択する選択手段６と、前記選択された日付に関連する情報を付加する情報付加手段６と、前記表示手段１５０に対して、前記画像データに基づく画像を前記カレンダー上の前記撮影日付に対応する位置に表示させ、前記選択された日付に関連する情報を前記カレンダー上の前記選択された日付に対応する位置に表示させる制御手段７と、を備えることを特徴とする。【選択図】図２
2011066746.tif 000002
【特許請求の範囲】
【請求項１】
被写体の画像データを生成する撮像手段と、
前記画像データに撮影日付を付加する日付付加手段と、
カレンダーを表示する表示手段と、
前記カレンダー上の日付を選択する選択手段と、
前記選択された日付に関連する情報を付加する情報付加手段と、
前記表示手段に対して、前記画像データに基づく画像を前記カレンダー上の前記撮影日付に対応する位置に表示させるとともに、前記選択された日付に関連する情報を表示させる制御手段と、
を備えることを特徴とする撮像装置。
【請求項２】
撮影日付が付加された画像データを読み込む読込手段と、
カレンダーを表示する表示手段と、
前記カレンダー上の日付を選択する選択手段と、
前記選択された日付に関連する情報を付加する情報付加手段と、
前記表示手段に対して、前記画像データに基づく画像を前記カレンダー上の前記撮影日付に対応する位置に表示させ、前記選択された日付に関連する情報を表示させる制御手段と、
を備えることを特徴とする画像表示装置。
【発明の詳細な説明】
【技術分野】
【０００１】
本発明は、カレンダーに関連付けて画像を表示することができる撮像装置、画像表示装置に関するものである。
【背景技術】
【０００２】
メモリカードの大容量化に伴って、一枚のメモリカードに保存できる画像の枚数は飛躍的に増加した。デジタルカメラなどの撮像装置は、メモリカードに保存された画像を表示することができる。
【０００３】
また、フォトビューワは、ＨＤＤを内蔵したものが多く、メモリカードよりもさらに多くの画像を保存することができる。さらに、近時は、フォトフレームの普及が進んでいる。フォトフレームは、カードスロットに装着されたメモリカードに保存された画像を表示することができる。
【０００４】
このように、撮像装置や画像表示装置が取り扱うことのできる画像の枚数が増えると、所望の画像を検索することが困難になる。
【０００５】
そこで、特許文献１には、画像に関連付けられた日付に対応するカレンダー内の位置に、画像のサムネイルを表示するグラフィカルユーザインタフェース装置が提案されている。特許文献１に記載のグラフィカルユーザインタフェース装置では、特定の日に撮影された画像を容易に認識することができる。
【先行技術文献】
【特許文献】
【０００６】
【特許文献１】特開２００４−２１３６３１号公報
【発明の概要】
【発明が解決しようとする課題】
【０００７】
しかしながら、特許文献１に記載の技術では、特定の日に撮影された画像を容易に認識することができるものの、特定の日に関連付けられた情報を同時に得ることができない。
【０００８】
本発明は、特定の日に撮影された画像を容易に認識することができ、さらに特定の日に関連付けられた情報も同時に提示することができる撮像装置、画像表示装置を提供することを目的とする。
【課題を解決するための手段】
【０００９】
前記課題を解決するために、本発明の撮像装置は、被写体の画像データを生成する撮像手段と、前記画像データに撮影日付を付加する日付付加手段と、カレンダーを表示する表示手段と、前記カレンダー上の日付を選択する選択手段と、前記選択された日付に関連する情報を付加する情報付加手段と、前記表示手段に対して、前記画像データに基づく画像を前記カレンダー上の前記撮影日付に対応する位置に表示させるとともに、前記選択された日付に関連する情報を表示させる制御手段と、を備えることを特徴とする。
【００１０】
また、本発明の画像表示装置は、撮影日付が付加された画像データを読み込む読込手段と、カレンダーを表示する表示手段と、前記カレンダー上の日付を選択する選択手段と、前記選択された日付に関連する情報を付加する情報付加手段と、前記表示手段に対して、前記画像データに基づく画像を前記カレンダー上の前記撮影日付に対応する位置に表示させるとともに、前記選択された日付に関連する情報を表示させる制御手段と、を備えることを特徴とする。
【発明の効果】
【００１１】
以上のように、本発明によれば、画像データに基づく画像をカレンダー上の撮影日付に対応する位置に表示させるとともに、選択された日付に関連する情報を表示させるので、特定の日に撮影された画像を容易に認識することができ、さらに特定の日に関連付けられた情報も同時に提示することができるという効果を奏する。
【図面の簡単な説明】
【００１２】
【図１】本発明の実施の形態に係るデジタルカメラ１００の背面図
【図２】本発明の実施の形態に係るデジタルカメラ１００のブロック図
【図３】Ｅｘｉｆフォーマットの画像ファイルの構成を示す概念図
【図４】カレンダー画面の一例を示す図
【図５】メニュー画面の一例を示す図
【図６】入力画面の一例を示す図
【図７】カレンダー画面の一例を示す図
【図８】カレンダー画面の一例を示す図
【図９】検索画面の一例を示す図
【図１０】マルチ表示画面の一例を示す図
【図１１】一枚表示画面の一例を示す図
【発明を実施するための形態】
【００１３】
以下、図面を参照して本発明の実施の形態を説明する。
（１．構成）
（１−１．外観）
本発明の実施の形態に係るデジタルカメラ１００の構成について説明する。図１は、本発明の実施の形態に係るデジタルカメラ１００の背面図である。図１に示すように、デジタルカメラ１００の背面には、電源スイッチ１２２、ＭＥＮＵボタン１２３、ＳＥＴボタン１２４、十字キー１２５ａ、１２５ｂ、１２５ｃ、１２５ｄ、ＬＣＤ１５０を備えている。また、デジタルカメラ１００の上面には、モードダイアル１２０、シャッターボタン１２１を備えている。
【００１４】
電源スイッチ１２２をＯＮ側にスライドすると、デジタルカメラ１００の電源が投入される。モードダイアル１２０を回転させて、所望の撮影モードを選択する。ＬＣＤ１５０に被写体が表示されるので、これを観察しながら構図を決定する。シャッターボタン１２１を押下すると、被写体の画像が画像ファイルとして記録される。画像ファイルのヘッダには、撮影日時、撮影モードなど画像データに付随する情報が記載される。
（１−２．ブロック構成）
図２は、本発明の実施の形態に係るデジタルカメラ１００のブロック図である。デジタルカメラ１００は、被写体の光学像を形成する撮像光学系１と、撮像光学系１で形成された光学像を電気信号に変換するＣＣＤ２と、ＣＣＤ２で変換された電気信号をデジタル信号に変換するＡ／Ｄ変換器３と、Ａ／Ｄ変換器３で変換されたデジタル信号に対して所定の信号処理を行い、画像データを生成する画像処理部４と、画像処理部４で生成された画像データを記憶する記憶部５と、画像処理部４で生成された画像データに基づく画像およびカレンダー画面、メニュー画面、入力画面、検索画面、マルチ表示画面、一枚表示画面を表示するＬＣＤ１５０と、デジタルカメラ１００に指示を与える操作部６と、操作部６から与えられた指示にしたがって画像処理部４を制御する制御部７を備える。
【００１５】
なお、記憶部５は、入出力部５ａと着脱可能な記憶媒体であるメモリカード５ｂで構成されている。操作部６は、図１に示したデジタルカメラ１００の背面図において、ＭＥＮＵボタン１２３、ＳＥＴボタン１２４、十字キー１２５ａ、１２５ｂ、１２５ｃ、１２５ｄに対応する。
（１−３．画像ファイルフォーマット）
本発明の実施の形態に係るデジタルカメラ１００は、Ｅｘｉｆ（Ｅｘｃｈａｎｇｅａｂｌｅ  Ｉｍａｇｅ  Ｆｉｌｅ  Ｆｏｒｍａｔ）フォーマットにしたがい画像ファイルを記録する。
【００１６】
図３は、Ｅｘｉｆフォーマットの画像ファイルの構成を示す概念図である。Ｅｘｉｆフォーマットでは、画像データに対してヘッダ部が付加される。ヘッダ部には、画像データのサムネイル画像と属性情報が記載される。属性情報には、撮影日時、撮影モードなど画像データに付随する情報が含まれる。
（２．動作）
（２−１．日付関連情報入力）
ＭＥＮＵボタン１２３を押下すると、図４に示す画面がＬＣＤ１５０に表示される。図４は、カレンダー画面の一例を示す図である。８日と１７日と２９日に撮影された画像が存在するので、対応する位置に表示されている。制御部７は、画像ファイルのヘッダ部に記載された撮影日時に基づいて、これらの画像を対応する位置に表示させる。画像の表示は、ヘッダ部に記載されたサムネイル画像を用いて行う。このとき、対応する位置の大きさに合わせて、サムネイル画像を拡大または縮小してもよい。
【００１７】
同日に撮影された画像が複数存在する場合は、その日の最初または最後に撮影された画像を表示させてもよいし、画像データを評価して評価値の高い画像を表示させてもよい。あるいは、顔認識機能を用いて人物が撮影されている画像を表示させてもよい。また、複数の画像を表示させてもよいし、その際、複数の画像の一部をオーバーラップさせて表示させてもよい。さらに、一日を午前と午後またはそれ以上に細分し、それぞれの時間帯に撮影された画像を表示させてもよい。
【００１８】
図４は、８日が選択された状態を示している。十字キーの左右ボタン１２５ａ、１２５ｃを押下すると、選択された日を変更することができる。また、十字キーの上下ボタン１２５ｂ、１２５ｄを押下すると、月を変更することができる。
【００１９】
図４では、月単位のカレンダー画面を示したが、カレンダー画面は週単位であってもよいし、複数の月をまとめて表示するものであってもよい。
【００２０】
図４に示す状態において、ＳＥＴボタン１２４を押下すると、図５に示すメニュー画面が表示される。図５は、メニュー画面の一例を示す図である。本実施の形態に係るデジタルカメラ１００は、「タイトル入力」と「タイトル検索」を行なうことができる。「タイトル検索」については、後述することとし、ここでは、「タイトル入力」について説明する。
【００２１】
十字キーの上下ボタン１２５ｂ、１２５ｄを押下すると、「タイトル入力」と「タイトル検索」の機能を切り替えることができる。図５は、「タイトル入力」が選択された状態を示している。十字キーの左ボタン１２５ｃを押下すると図４に示すカレンダー画面に戻ることができる。
【００２２】
図５に示す状態において、ＳＥＴボタン１２４を押下すると、図６に示す入力画面が表示される。図６は、入力画面の一例を示す図である。図４において８日が選択され、図５において「タイトル入力」が選択されたので、図６に示す入力画面では、８日に対して「タイトル入力」をすることができる。
【００２３】
図６に示す入力画面について、概略を説明する。第二フィールド５０２から入力したい文字を選択し、決定すると、第一フィールド５０１に反映される構成となっている。
【００２４】
十字キーの左右ボタン１２５ａ、１２５ｃを押下すると、選択された文字を変更することができる。図６に示す状態では、英小文字の「ｏ」が選択されている。十字キーの上下ボタン１２５ｂ、１２５ｄを押下すると、文字種を切り替えることができる。図６は、文字種として「英数」が選択された状態を示すが、「英数」の他に「ひらがな」と「カタカナ」と「記号」のいずれかを選択することができる。
【００２５】
ＳＥＴボタン１２４を押下すると、第二フィールド５０２において選択されている文字が第一フィールド５０１の下線部に反映される。図６は、英小文字の「ｏ」が選択されている状態でＳＥＴボタン１２４を押下することにより、第一フィールド５０１に英小文字の「ｏ」が反映された状態を示している。下線部は、次の入力可能位置を示している。
【００２６】
文字の入力においては、様々な方式が提案されているので、デジタルカメラ１００が備える操作部６の構成に適した入力方法を採用すればよく、必ずしも上記の方法でなければならないわけではない。また、かな漢字変換機能や学習機能、人名辞書、地名辞書などを備えるようにしてもよい。
【００２７】
図６に示す入力画面において、ＭＥＮＵボタン１２３を押下すると、第一フィールド５０１の文字列「Ｋｙｏｔｏ」が８日という日付と関連付けられて制御部７内のメモリに記憶される。そして、再度、図７に示すカレンダー画面が表示される。図７に示すカレンダー画面では、８日という日付と「Ｋｙｏｔｏ」という文字列が関連付けられたことを示す関連表示７０１が２秒間表示されその後消える。
【００２８】
なお、本実施の形態に係るデジタルカメラ１００では、一つの日付に対して一つの文字列を関連付ける例を示したが、図４に示すカレンダー画面において複数の日付を選択することで、複数の日付に対して一つの文字列を関連付けることができるようにしてもよい。
（２−２．日付関連情報表示）
図７に示す状態において、関連表示７０１が消えた後は、図６に示すカレンダー画面と同じ画面となる。しかし、デジタルカメラ１００の内部では、文字列「Ｋｙｏｔｏ」が８日という日付と関連付けられて制御部７内のメモリに記憶されている。
【００２９】
図８は、カレンダー画面の一例を示す図である。図８では１７日が選択されている。しかし、１７日という日付と関連付けられた文字列は存在しないので、関連情報は表示されない。ここで、十字キーの左右ボタン１２５ａ、１２５ｃを複数回押下することによって、８日を選択すると、図７と同様に８日という日付と「Ｋｙｏｔｏ」という文字列が関連付けられていることを示す関連表示７０１が２秒間表示されその後消える。このとき、制御部７は、選択された日付と関連付けられた文字列を制御部７内のメモリから読み出して関連表示７０１として表示する。
【００３０】
これによって、ユーザーは、８日という日付と「Ｋｙｏｔｏ」という文字列が関連付けられていることを知ることができる。多くの場合、「Ｋｙｏｔｏ」という文字列は、８日に撮影された画像が「京都」で撮影されたものであることを示すこととなろうが、入力する文字列は撮影地に関するものでなくてもよい。例えば、撮影者を示す文字列であってもよいし、撮影対象を示す文字列であってもよい。
【００３１】
なお、本実施の形態に係るデジタルカメラ１００では、関連表示７０１を２秒間表示してその後消すこととしたが、他の日付が選択されるまで関連表示７０１を継続して表示することとしてもよい。また、選択された日付と関連付けられた文字列が存在することを選択された日付に対応する位置に常時アイコンで表示してもよい。関連表示７０１は、近傍の画像や日付と重ならないようにフローティング表示としてもよい。ここで、フローティング表示とは、近傍の画像や日付を認識し、これらと重ならないように適宜表示位置を変更する表示方法をいう。あるいは、関連表示７０１を半透過としてもよい。関連表示７０１の文字列が長い場合は、スクロールさせながら表示するようにしてもよい。また、関連表示７０１は、選択された日付に関わらず固定の位置に表示するようにしてもよい。
【００３２】
また、本実施の形態に係るデジタルカメラ１００では、文字列「Ｋｙｏｔｏ」を８日という日付と関連付けて制御部７内のメモリに記憶することとしたが、文字列「Ｋｙｏｔｏ」を８日に撮影された画像ファイルのヘッダ部に記載することしてもよい。８日に撮影された画像が複数存在する場合は、すべての画像ファイルのヘッダ部に文字列「Ｋｙｏｔｏ」を記載してもよいし、カレンダー画面に表示する画像の画像ファイルのヘッダ部にのみ文字列「Ｋｙｏｔｏ」を記載してもよい。画像ファイルのヘッダ部には撮影日時が記載されているので、日付と日付に関連する情報が画像ファイルのヘッダ部に記載されることとなる。また、文字列「Ｋｙｏｔｏ」を８日という日付と関連付けてメモリカード５ｂに新たなファイルとして記録してもよい。
（２−３．日付関連情報検索）
図５に示すメニュー画面で「タイトル検索」を選択した場合の動作について説明する。図５に示すメニュー画面において、十字キーの下ボタン１２５ｄを押下すると、「タイトル検索」を選択することができる。「タイトル検索」を選択した状態でＳＥＴボタン１２４を押下すると、図９に示す検索画面が表示される。
【００３３】
制御部７は、日付と関連付けられた文字列を制御部７内のメモリから読み出して、関連付けられた日付とともにＬＣＤ１５０に一覧表示する。黒塗りの三角印９０１は、「Ｔｏｋｙｏ  ２００９年５月  ５日」以前にも日付と関連付けられた文字列が存在することを示し、白抜きの三角印９０２は、「Ｏｓａｋａ  ２００９年８月２０日」以後には日付と関連付けられた文字列が存在しないことを示す。図９は、「Ｋｙｏｔｏ  ２００９年６月８日」が選択された状態を示している。十字キーの上下ボタン１２５ｂ、１２５ｄを押下すると、選択された文字列と日付の組み合わせを変更することができる。
【００３４】
図９に示す検索画面において、ＳＥＴボタン１２４を押下すると、図１０に示すマルチ表示画面が表示される。図１０は、マルチ表示画面の一例を示す図である。上部には、選択された文字列と日付の組み合わせ、すなわち「Ｋｙｏｔｏ  ２００９年６月８日」が表示されている。当日に撮影された画像は２枚であることが分かる。
【００３５】
図１０では、夜景と人物が撮影された左上の画像が選択されている。十字キーの左右ボタン１２５ａ、１２５ｃを押下することで、選択されている画像を変更することができる。十字キーの上下ボタン１２５ｂ、１２５ｄを押下することで、日付を変更することができる。十字キーの上ボタン１２５ｂを押下すると、２００９年６月７日のマルチ表示画面が表示される。一方、十字キーの下ボタン１２５ｄを押下すると、２００９年６月９日のマルチ表示画面が表示される。
【００３６】
図１０に示すマルチ表示画面において、ＳＥＴボタン１２４を押下すると、図１１に示す一枚表示画面が表示される。図１１は、一枚表示画面の一例を示す図である。下部には、選択された文字列と日付の組み合わせ、すなわち「Ｋｙｏｔｏ  ２００９年６月８日」が表示されている。
【００３７】
なお、本実施の形態に係るデジタルカメラ１００では、図９に示す検索画面において、ＳＥＴボタン１２４を押下すると、図１０に示すマルチ表示画面が表示され、図１０に示すマルチ表示画面において、ＳＥＴボタン１２４を押下すると、図１１に示す一枚表示画面が表示されることとしたが、これに限定するものではない。例えば、図９に示す検索画面において、ＳＥＴボタン１２４を押下すると、図７に示すカレンダー画面が表示され、図７に示すカレンダー画面において、ＳＥＴボタン１２４を押下すると、図１０に示すマルチ表示画面または図１１に示す一枚表示画面が表示されることとしてもよい。
【００３８】
また、本発明の実施の形態に係るデジタルカメラ１００では、図５に示すメニュー画面において、「タイトル検索」を選択した状態でＳＥＴボタン１２４を押下すると、図９に示す検索画面が表示されることとしたが、これに限定するものではない。例えば、図５に示すメニュー画面において、「タイトル検索」を選択した状態でＳＥＴボタン１２４を押下すると、図６に示す入力画面が表示され、図６に示す入力画面において、検索したい文字列を入力してＳＥＴボタン１２４を押下すると、入力された文字列に関連付けられた日付のマルチ表示画面または入力された文字列が選択された状態のカレンダー画面が表示されるようにしてもよい。
【００３９】
以上、本発明を撮像装置であるデジタルカメラ１００に適用した実施の形態を説明したが、本発明は、フォトビューワやフォトフレームなどの画像表示装置に適用することもできる。画像ファイルのヘッダ部には撮影日時が記載されているのが通常であるから、カレンダー表示が可能な表示手段と、カレンダー上の日付を選択する選択手段と、選択された日付に関連する情報を付加する情報付加手段と、表示手段に対して、画像データに基づく画像をカレンダー上の撮影日付に対応する位置に表示させるとともに、選択された日付に関連する情報を表示させる制御手段と、を備えればよい。
【産業上の利用可能性】
【００４０】
本発明によれば、特定の日に撮影された画像を容易に認識することができ、さらに特定の日に関連付けられた情報も同時に提示することができるので、デジタルカメラ、デジタルビデオカメラ、カメラ付携帯電話のような撮像装置やフォトビューワ、フォトフレームのような画像表示装置に適用して有用である。
【符号の説明】
【００４１】
１    レンズ
２    ＣＣＤ
３    ＡＤ変換器
４    画像処理部
５    データ格納部
５ａ    入出力部
５ｂ    メモリカード
６    操作部
７    制御部
８    操作部
１００    デジタルカメラ
１２０    モードダイアル
１２１    シャッターボタン
１２２    電源スイッチ
１２３    ＭＥＮＵボタン
１２４    ＳＥＴボタン
１２５    十字キー
１２５ａ    右ボタン
１２５ｂ    上ボタン
１２５ｃ    左ボタン
１２５ｄ    下ボタン
１５０    ＬＣＤ
【図１】
2011066746.tif 000003
【図２】
2011066746.tif 000004
【図３】
2011066746.tif 000005
【図４】
2011066746.tif 000006
【図５】
2011066746.tif 000007
【図６】
2011066746.tif 000008
【図７】
2011066746.tif 000009
【図８】
2011066746.tif 000010
【図９】
2011066746.tif 000011
【図１０】
2011066746.tif 000012
【図１１】
2011066746.tif 000013